(57)【要約】【課題】世界タイムゾーン表示を具備するタイマームーブメントを提供する。【解決手段】本願は、世界タイムゾーン表示を具備するタイマームーブメントであり、それは、動力源、秒カウント装置、分カウント装置、時カウント装置及びタイムゾーン表示装置から構成され、現地タイムゾーンマークを某所定点に合わせ、現地時間を合わせ、タイムゾーンベゼルを他のタイムゾーンマークを前記定点に合わせ、タイムゾーンベゼルの環歯部に遊星遊び歯車、遊星従動車及び遊星基本歯車を連動して回転させ、各弾性定位珠が各定位孔に沿って、順に掛合し、第１時前車を遊星基本車で第１分車組に沿って遊星運動を行わせ、噛合する第１時車を回転させ、第１時針を移動させ、他のタイムゾーンマークの第１地区時間を標示させる。特に、本願は、第２地区時間を更に表示することができる。【選択図】図６
2013088428.tif 000002
【特許請求の範囲】
【請求項１】
動力源、秒カウント装置、分カウント装置、時カウント装置及びタイムゾーン表示装置から構成され、
パネル上にタイムゾーンの正確な時間を表示し、そのうち、秒カウント装置が分カウント装置の分前車の回転を連動し、
該分前車は、留め具上に軸回転可能に設けられ且つ第１分針を設ける第１分車組を噛合し、タイムゾーン表示装置のタイムゾーンベゼルは、該留め具及びパネルの間に挟み設けられ、更に、遊星遊び車及び遊星従動車を該パネル上に軸回転可能に設け、相互に噛合し、
該遊星遊び車及び遊星従動車がそれぞれタイムゾーンベゼルに内設する環歯部及び留め具底部中央に枢着する遊星基本歯車と互いに噛合し、
該遊星基本歯車は、第１分車組を通過させ、遊星基本歯車底面一側に軸回転可能に設ける時カウント装置の第１時前車に噛合し、
該第１時前車がパネルに軸回転可能に設けられ且つ第１時針を設ける第１時車に更に噛合い、該留め具底部の円盤が径方向又は軸方向に複数の嵌装孔を開設し、更に、少なくとも２つの弾性定位珠を所定の嵌装孔内に嵌挿し、定位し、タイムゾーンベゼル周縁内壁又は底面周縁等の隅に前記弾性定位珠を掛合させる複数の定位孔を環設し、該タイムゾーンベゼルを双方向に回転させ、
現地タイムゾーン地域マークを某所定位置に合わせ、また現地時間を合わせてからタイムゾーンベゼルの他のタイムゾーンの第２地域マークを前述の所定位置まで回し、タイムゾーンベゼルの環歯部に遊星遊び歯車、遊星従動車及び遊星基本歯車を連動して回転させ、各弾性定位珠が各定位孔に沿って順に掛合し、第１時前車が遊星基本歯車上で第１分車組に沿って遊星運動を行い、第１分車組と噛合する第１時車を回転させ、第１時針を他のタイムゾーン地域の第１地域時間まで移動させ、表示させる世界タイムゾーン表示を具備するタイマームーブメント。
【請求項２】
前記分カウント装置の分前車が該留め具上に軸回転可能に設けられ且つ第２分針を設ける第２分車組を更に噛合し、該第２分車組は、第２時車を貫通し、該留め具上に軸回転可能に設ける第２時前車を噛合し、該第２時前車は、該留め具上に軸回転可能に設けられパネルを貫通し、且つ第２時針を設ける第２時車を更に噛合し、第２地区時間を表示する請求項１に記載の世界タイムゾーン表示を具備するタイマームーブメント。
【請求項３】
前記遊星受動車は、下従動車上方に上従動車を嵌装して構成され、且つ該上従動車及び該下従動車がそれぞれ遊星基本歯車及び遊星遊び歯車の上歯盤を噛合し、遊星遊び歯車の下歯盤は、タイムゾーンベゼルの環歯部に噛合する請求項１に記載の世界タイムゾーン表示を具備するタイマームーブメント。
【請求項４】
前記動力源は、基板に固定され、回路板を有し、該留め具は、該回路板と回路接続を形成する電池室を形成し、電力を該回路板上のステッパモータに供給し、該ステッパモータの回転子に等速回転させ、該秒カウント装置は、秒前車によりそれぞれ該回転子及び秒車と噛合し、互いに噛合させ、該秒車底部が下向きに秒軸を延伸し、且つ端部がパネルに突伸し、秒針及び盤を取り付け、該秒車が該基板に軸回転可能に設けられる分前車に噛合する請求項１に記載の世界タイムゾーン表示を具備するタイマームーブメント。
【請求項５】
前記第１分車組は、第１分車により第１分車軸と滑動可能に一体に嵌装する請求項１に記載の世界タイムゾーン表示を具備するタイマームーブメント。
【請求項６】
前記第２分車組は、第２分車により第２分車軸と滑動可能に一体に嵌装する請求項２に記載の世界タイムゾーン表示を具備するタイマームーブメント。
【請求項７】
前記タイムゾーンベゼル周縁内壁又は底面周縁に等角に環設する定位孔の数量が２４個であり、２４個のタイムゾーンと対応する請求項１に記載の世界タイムゾーン表示を具備するタイマームーブメント。
【請求項８】
昼夜表示装置を更に含み、該装置は、第１時車にパネル上に軸回転可能に設けられる昼夜歯車を噛合し、該昼夜歯車は、パネル底面に表面に昼夜を表す符号マークを具える昼夜回転盤を枢着し、昼夜時間を判読する請求項１に記載の世界タイムゾーン表示を具備するタイマームーブメント。
【請求項９】
前記パネル底面に時刻又は装飾パターンを標示する飾板を結合し、該飾板の該昼夜回転盤のマーク位置に対し、ウィンドウを開設する請求項８に記載の世界タイムゾーン表示を具備するタイマームーブメント。
【請求項１０】
前記飾板が１１時３０分位置に日光節約時間（Ｄ．Ｓ．Ｔ．）を表すマークを標示する請求項９に記載の世界タイムゾーン表示を具備するタイマームーブメント。
【請求項１１】
更に、留め具上に軸回転可能に設ける第１調整つまみを含み、該第１調整つまみ底部に第１従動車を有し、該第１従動車及び第１分車組の間に中継車を噛合し、第１調整つまみを回転させ、それに中継車、第１分車組、第１時前車及び第１時車を連動させ、相対回転を発生させ、第１地区時間を調整する請求項１に記載の世界タイムゾーン表示を具備するタイマームーブメント。
【請求項１２】
更に、留め具上に軸回転可能に設けられる第２調整つまみを含み、該第２調整つまみ底部に第２従動車を有し、該第２従動車及び第２分車組の間に該に第２時前車を噛合し、第２調整つまみを回転し、それに第２時車、第２分車組及び第２時車を連動させ、相対回転を発生させ、第２地区時間を調整する請求項２に記載の世界タイムゾーン表示を具備するタイマームーブメント。
【請求項１３】
前記留め具上部に更に、カバーを結合し、留め具上部を密封し、該カバー表面は、第１、第２調整つまみ位置に対応して該第１、第２調整つまみを露出させる第１、第２貫通孔をそれぞれ開設する請求項１１又は請求項１２に記載の世界タイムゾーン表示を具備するタイマームーブメント。
【発明の詳細な説明】
【技術分野】
【０００１】
本発明は、タイマームーブメントに関し、世界タイムゾーン表示を具備するタイマームーブメントに関する。
【背景技術】
【０００２】
交通及び通信の発達に伴い、国際間の交流が日益に頻繁となり、国々を横断する交流も日に日に普遍化となってきているため、情報の伝達及び時差等の因素を考慮し、同時に例えば時計(或いは世界時計という)或いは腕時計のように他タイムゾーンを表示できる時計アセンブリーが、時流の必要性により現れてきた。
【０００３】
また従来の世界時計において、最も通常的に見られるのは、時計盤上に世界地図が印刷され、その後更に地図を頼りに時刻を見るようになっている。この方法の欠陥は時計盤があまりにも複雑となり、視覚上の認識と伝達において人間工学に適していない。
【０００４】
我々人類、特に、ビジネスマンにとって、世界各タイムゾーン表示の要求に対し、本願の出願人は、一系列の世界タイムゾーン表示のタイマームーブメント、例えば、台湾発明公告第480375号特許（中国第01120668.3号特許、米国第6,636,457号特許、欧州第EP1291738B1号特許に対応）、台湾発明公告第I305873号（中国第200610075120.3号特許、米国第7,639,568号特許に対応）台湾発明公告第I322933号特許(中国第200710079235.4号特許、米国第7,826,311号特許に対応) を開発している。前記各タイマームーブメントは、それぞれ時計、目覚まし時計又は腕時計に運用でき、且つ機能が独特であることにより、タイムゾーン調整は、直観式の操作設計を採用し、国内外の消費者の好評及び喜愛を深く受けている。
【０００５】
前記各タイマームーブメントは、動力源、秒カウント装置、分カウント装置、時カウント装置、及びタイムゾーン表示装置から組成され、タイムゾーン表示装置のタイムゾーンベゼルを回転させることにより、現地タイムゾーンの第１地域マークを某所定位置に合わせ、また現地時間を合わせてからタイムゾーンベゼルの他のタイムゾーンの第２地域マークを前述の所定位置まで回し、この時、該タイムゾーン表示装置の環歯部が遊星遊び歯車組及び遊星基本歯車を連動して回転させ、各単一方向の鋸歯状孔に沿って順に掛合し、時前車が遊星基本歯車上において、分車組に沿って遊星運動を呈し、分車組と噛合する時車を回転させることで時計を前記第２地域マークの時刻まで移動させるものである。
【０００６】
前記各タイマームーブメントの基板下方に設ける少なくとも２つの止め爪がタイムゾーンベゼル内の環状配列を呈する複数の単一方向鋸歯状孔と順に掛合するか、基板下方に設ける少なくとも２つの止め爪がタイムゾーンベゼル上方の環状配列を呈する複数の単一方向鋸歯状孔と順に掛合し、タイムゾーンベゼルがただ単一方向の回転及び定位機能のみを有し、タイムゾーンの操作及び選択において、依然として不便であり、改善の余地を有する。
【先行技術文献】
【特許文献】
【０００７】
【特許文献１】特開２００８−６４４９５号公報
【発明の概要】
【発明が解決しようとする課題】
【０００８】
本発明の目的は、タイムゾーンベゼルが双方向回転及び定位機能を有し、選択したいタイムゾーンに迅速に回転でき、該タイムゾーンの時間を即時表示し、操作上の利便性を有する世界タイムゾーン表示を具備するタイマームーブメントを提供することにある。
【課題を解決するための手段】
【０００９】
前記目的を達成する為、本発明が採用する技術手段は、世界タイムゾーン表示を具備するタイマームーブメントを提供することであり、それは、動力源、秒カウント装置、分カウント装置、時カウント装置及びタイムゾーン表示装置から構成され、パネル上に某タイムゾーンの正確な時間を表示し、そのうち、秒カウント装置が分カウント装置の分前車の回転を連動し、該分前車は、留め具上に軸回転可能に設けられ且つ第１分針を設ける第１分車組を噛合し、タイムゾーン表示装置のタイムゾーンベゼルは、該留め具及びパネルの間に挟み設けられ、更に、遊星遊び車及び遊星従動車を該パネル上に軸回転可能に設け、相互に噛合し、該遊星遊び車及び遊星従動車がそれぞれタイムゾーンベゼルに内設する環歯部及び留め具底部中央に枢着する遊星基本歯車と互いに噛合し、該遊星基本歯車は、該第１分車組を通過させ、遊星基本歯車底面一側に軸回転可能に設ける時カウント装置の第１時前車に噛合し、該第１時前車がパネルに軸回転可能に設けられ且つ第１時針を設ける第１時車に更に噛合い、該留め具底部の円盤が径方向又は軸方向に複数の嵌装孔を開設し、更に、少なくとも２つの弾性定位珠を所定の嵌装孔内に嵌挿し、定位し、タイムゾーンベゼル周縁内壁又は底面周縁等の隅に前記弾性定位珠を掛合させる２４個の定位孔を環設し、該タイムゾーンベゼルを双方向に回転させる。
【００１０】
現地タイムゾーン地域マークを某所定位置に合わせ、また現地時間を合わせてからタイムゾーンベゼルの他のタイムゾーンの第２地域マークを前述の所定位置まで回し、タイムゾーンベゼルの環歯部に遊星遊び歯車、遊星従動車及び遊星基本歯車を連動して回転させ、各弾性定位珠が各定位孔に沿って順に掛合し、第１時前車が遊星基本歯車上で第１分車組に沿って遊星運動を行い、第１分車組と噛合する第１時車を回転させ、第１時針を他のタイムゾーン地域の第１地域時間まで移動させ、表示させる。
【００１１】
本願のもう１つの目的は、世界タイムゾーン表示を具備するタイマームーブメントを提供し、世界各タイムゾーン時間を即時表示可能な機能を有するだけでなく、更に、他のタイムゾーンの第２地域時間の表示を含み、該タイマームーブメントに２つの地域時間を同時表示可能な機能を持たせることにある。
【００１２】
前記目的を達成する為、本願が採用する技術手段は、更に、該分カウント装置の分前車を該留め具上に軸回転可能に設けられ且つ第２分針を設ける第２分車組に更に噛合させ、該第２分車組が更に該留め具上に軸回転可能に設けられる第２時前車に噛合し、該第２時前車は、該留め具上に軸回転可能に設けられ、パネルを貫通し且つ第２時針を設ける第２時車に更に噛合し、第２地域時間を表示する。
【発明の効果】
【００１３】
従って、本願の実施例を経た増益効果は、以下のように、顕著である：
（１）世界タイムゾーンを双方向に調整でき、回転可能なタイムゾーンベゼル及び固定部材とする留め具は、従来技術が提示する単一方向の鋸歯状孔ではなく、定位孔及び弾性定位珠の掛合を採用し、該タイムゾーンベゼルに双方向回転及び定位の機能を持たせ、選択したいタイムゾーンの時間を即時表示し、操作上の利便性を有する。
（２）第２地区時間表示機能を有し、分前車により回転を同期連動される第２分車組、第２時前車、第２時車が独立回転することにより、タイムゾーンベゼルが順、逆回転する影響を受けないので、使用者が自身の要求に基づき、第２時間を第２地区時間に調整することができる。
（３）時間が容易に判読でき、１２時間ムーブメントを時間表示として採用しているが、閲読習慣を変更することなく、現地又はその他の地区の時間を容易に判読することができる。
（４）操作が簡便であり、計時が精確であり、その他のタイムゾーンの時間を調べたい時、タイムゾーンベゼルを回すだけで、タイマーを装着した第１時車を遊星基本歯車上で遊星運動させ、時カウント装置の第１時車を全点方式で移動させ、２つの地区時間又は時差を容易に判読でき、非常に便利である。特に、本願は、モータを動力の出力とし、時間の誤差を生じ難い。
（５）昼夜判読機能を有し、昼夜歯車が連動する昼夜回転盤上にマークの差異を呈することにより、調べたい某タイムゾーンの昼夜状況を容易に判読することができ、同類物品で前代未聞の良好な構造である。
【図面の簡単な説明】
【００１４】
【図１ａ】本発明のタイマームーブメントの立体分解図である。
【図１ｂ】本発明のタイマームーブメントの立体分解図である。
【図２ａ】本発明の第１分車組及び第２分車組の立体分解図である。
【図２ｂ】本発明の第１分車組及び第２分車組の立体分解図である。
【図３】本願の基板上面の各部材の組み立て後の説明図である。
【図４】本願の固定ソケット上面各部材の組み立て後の説明図である。
【図５】本願のパネル上面各部材の組み立て後の説明図である。
【図６】本願のタイマームーブメントの組み立て後の立体図である。
【図７】本願のタイマームーブメントの第２実施例の局部立体分解図である。
【図８】図７に示すタイマームーブメントの第２実施例のパネル上面の各部材の組み立て後の説明図である。
【図９】本願のタイマームーブメントの第２実施例の組み立て後の立体図である。
【発明を実施するための形態】
【００１５】
本願の具体的技術内容を更に開示する為、先ず、図面を参照し、そのうち、図１ａ、図１ｂは、本願のタイマームーブメントの立体分解図、図２ａ及び図２ｂは、本願の第１分車組及び第２分車組の立体図であり、図３は、本願の基板上面の各部材の組み立て後の説明図であり、図４は、本願の固定ソケット上面各部材の組み立て後の説明図であり、図５は、本願のパネル上面各部材の組み立て後の説明図であり、図６は、本願のタイマームーブメントの組み立て後の立体図であり、図７は、本願のタイマームーブメントの第２実施例の局部立体分解図であり、図８は、図７に示すタイマームーブメントの第２実施例のパネル上面の各部材の組み立て後の説明図であり、図９は、本願のタイマームーブメントの第２実施例の組み立て後の立体図である。
【００１６】
図１ａ〜図６に示すように、本願のタイマームーブメントは、動力源１、秒カウント装置２、分カウント装置３、時カウント装置４、及びタイムゾーン表示装置５から構成される。同時、本願のタイマームーブメントは、更に、昼夜表示装置６を含むことができる。
【００１７】
図１ａ、図３及び図４に示すように、動力源１は、基板１１側辺に固定設置され、該動力源１は、電池を接続する回路板１２を有し、電源を公知のコイル１３１、固定子１３２及び回転子１３３から構成されるステッパモータ１３に供給し、回転子１３３を等速回転させ、動力を秒カウント装置２に出力する。
【００１８】
秒カウント装置２は、秒前車２１を基板１１上に枢着し、回転子１３３と噛合して連動し、該秒前車２１他側が秒車２２と噛合し、該秒車２２を毎分間３６０度回転させる。該秒車２２下方に延伸する秒針の軸２２１がパネルに突伸し、秒針/盤２２２を取り付ける。
【００１９】
分カウント装置３は、基板１１に枢着する分前車３１を秒車２２と噛合させ、該分前車３１下方が基板１１を貫通し、それぞれ留め具３４上方に軸回転可能に設けられる第１分車組３２及び第２分車組３３と噛合し、減速効果を獲得する。該第１、第２分車組３２，３３底部は、それぞれ第１、第２分針の軸３２３，３３３を延伸し、それぞれ留め具３４及びパネル５３の中心孔及び周縁の側孔を貫通した後、パネル５３に突伸し、その後、それぞれ第１分針３２４及び第２分針３３４と嵌装し、第１、第２分針３２４，３３４を秒/盤２２２に相対して１回転した後、６度移動させる。
【００２０】
図１ａ、図２ｂを参照し、該第１、第２分車組３２，３３は、それぞれ第１、第２分車３２１，３３１及び第１、第２分車軸３２２，３３２を活動的に嵌装し、その利点は、カバー７に露出し、留め具３４上面に軸回転可能に設けられる第１又は第２調整つまみ３５，３６を回転し、各調整つまみ３５，３６底部の第１、第２従動車３５１，３６１を回転させ、該第１、第２分車組３２，３３及び後述の時カウント装置４と連動させ、時間を調整する目的を達成する。そのうち、前記時間の調整と同時に、該第１、第２分車３２１，３３１は、分前車３１の連動を受けて空回りを形成するが、秒軸２２１が依然として等速回転を保持することができ、これにより、時間を合わせる時に秒軸２２１が停滞することにより発生し得る時カウントの誤差を回避することができる。
【００２１】
また、該基板１１上において、前記各部材を組み立てさせた後、該留め具３４上面に嵌装し、両者を分離しないようする。更に、該留め具３４上面に更に前記回路板１２が具える回路と接続する電池室３４１を設け、電池（公知の為、図示せず）を取り付けた後、回路板１２に電源を供給することができる。特に、該留め具３４下方の円盤周縁に同心且つ等角で複数の嵌装孔３４２を開設し、その後、少なくとも２つの弾性定位珠３８、例えば、３個の弾性定位珠３８を等角で径方向に所定の嵌装孔３４２内に嵌装し、珠体３８１を嵌装孔３４２外に露出させる。
【００２２】
図１ｂ及び図５に示すように、時カウント装置４は、該留め具３４底面中央に第１遊星基本歯車５１を枢着し、該遊星基本歯車５１底面一側に第１時前車４１を枢着し、該第１時前車４１は、留め具３４及び遊星基本歯車５１の第１分車軸３２２と噛合し、同期回転し、遊星基本歯車５１に伴って遊星運動を行うことができる。また、該第１時前車４１は、パネル５３上面に軸回転可能に設けられる第１時車４３と噛合し、減速を経た後、該第１時車４３を６０分ごとに３０度回転させ、該第１時車４３がパネル５３を貫通した後に第１時針４３１と枢着し、第１地区時間を表す。
【００２３】
また、図１ａ及び図４を参照し、該第２分車組３３は、第２時車４４を貫通し、第２時前車４２が留め具３４上で該第２時車４４を噛合し、減速を経た後、該第２時車４４を６０分間ごとに３０度回転させ、該第２時車４４がパネル５３を通過した後に第２時針４４１と枢着し、第２地区時間を表す。
【００２４】
図１ｂ及び図５を参照し、タイムゾーン表示装置５は、該留め具３４底面中央において、前記遊星基本歯車５１を枢着し、該遊星基本歯車５１中央孔に第１分車軸３２２を通過させ、該遊星基本歯車５１底面一側に軸回転可能に設ける第１時前車４１と噛合する。また、タイムゾーンベゼル５２を該留め具３４及びパネル５３の間に回転可能に設け、該タイムゾーンベゼル５２は、複数の接合部５２１、例えば、螺子孔を設け、２４のタイムゾーンの代表都市名称を記載したタイムゾーン回転盤と接続するか、該接合部５２１が螺子で支持構造と接続した後、２４のタイムゾーン及び代表都市名称の地形地球儀と接続する。
【００２５】
該タイムゾーンベゼル５２内に環歯部５２２を設け、且つ周縁内壁に２４個の定位孔５２３を等角で環設し、前記少なくとも２つの弾性定位珠３８の珠体３８１を掛合することに用いる。該環歯部５２２は、パネル５３上面側辺の欠き口に枢着する遊星遊び歯車５４と噛合する。また、該遊星基本歯車５１及び遊星遊び歯車５４の間にパネル５３上面に枢着する遊星従動車５５を噛合し、連動関係を形成する。そのうち、該遊星従動車５５は、下従動車５５１上方に従動車５５２を嵌装して構成される。そのうち、上下従動車５５１，５５２は、それぞれ遊星基本歯車５１及び遊星遊び歯車５４の上歯盤５４１を噛合し、遊星遊び歯車５４の下歯盤５４２は、タイムゾーンベゼル５２の環歯部５２２に噛合する。
【００２６】
従って、タイムゾーンベゼル５２を某タイムゾーンまで回す時、遊星遊び歯車５４は、遊星従動車５５と連動して回転し、遊星基本歯車５１を遊星従動車５５に沿って回転させ、該第１時前車４１を遊星基本者５１に沿って遊星運動を行い、第１時車４３を回転させ、該パネル５３上の第１時針４３１を連動し、同期回転させ、該某タイムゾーンの時間を表示する。
【００２７】
また、該第１時前車４１は、遊星基本歯車５１において、遊星運動を行う時、第１分車軸３２２に沿って回転し、その運転を干渉しないので、時間の誤差を招くことがない。
【００２８】
特に、該タイムゾーンベゼル５２周縁内壁に２４個の定位孔５２３を等角に環設し、該定位孔５２３は、タイムゾーン回転盤上の２４のタイムゾーン及び代表都市名称と互いに対応するか、該定位孔５２３は、２４のタイムゾーン及び代表都市名称を記載した球形地球儀と互いに対応する。従って、タイムゾーンベゼル５２が回転する時、選択した某１つのタイムゾーンの遠近関係に基づき、正方向又は逆方向の双方向の回転を形成し、留め具３４の径方向に設置する少なくとも２つの弾性定位珠３８が定位孔５２３内に選択的に止め、明確な段落感を具える以外に、更に全点方式で定位する機能を有する。
【００２９】
図１ｂ及び図６を参照し、某タイムゾーンの昼夜状況を知りたい場合、本願は、更に、昼夜表示装置６を含み、それは、第１時車４３一側がパネル５３に枢着する昼夜歯車６１に噛合し、該昼夜歯車６１を第１時車４３に伴って回転させることができる。そのうち、昼夜歯車６１は、パネル５３底面に表面に昼夜を表す符号マーク６２１（図６参照）を具える昼夜回転盤６２を枢着し、昼夜状況を表示する。該昼夜歯車６１が恒常的に第１時車４３と噛合することにより、正常状態において、昼夜歯車６１及び昼夜回転盤６２が第１時車４３に伴って回転し、使用者の現地時間の昼夜状況を表示する。使用者がタイムゾーンベゼル５２を回す時、該第１時車４３は、相対回転を発生し、昼夜歯車６１も第１時車４３に伴って回転させる。欲するタイムゾーンまで調整する時、昼夜回転盤６２が表示するマーク６２１が現地時間の昼夜状況を表す。従って、本願のタイマームーブメントは、１２時間ムーブメントによりその他のタイムゾーンの昼夜状況及び関連時間を判別することができ、相当便利な設計である。
【００３０】
更に、パネル５３表面の美観を向上させるため、その底面に時間時刻又は装飾パターンを表示する飾板５６を結合することができ、該飾板５６は、図６に示すように、時間時刻、例えば、時、分及び秒の表示、及び図系のウィンドウ５６１を有し、昼夜回転盤６２のマーク６２１が表示する昼夜状況を観察でき、且つ前記パネル５３及び飾板５６中心孔を貫通する秒針の軸２２１、第１分針の軸３２３、第１時車４３がそれぞれ秒針/盤２２２、第１分針３２４及び第１時針４３１を接続し、第１地区時間を表示する。前記第２分軸３３３及び第２時車４４は、パネル５３及び飾板５６周縁に予め設ける側孔を貫通し、第２分針３３４及び第２分針４４１を接続し、第２地区時間を表示する。
【００３１】
事実上、動力源１の動力出力の許容条件において、該分前車３１は、少なくとも１つの分車組、例えば、第３分車組、少なくとも１つの時前車、例えば、第３時前車、少なくとも１つの時車例えば、第３時車に更に噛合し、回転し、少なくとも１つの調整つまみ、少なくとも１つの分針及び時針、例えば、第３調整つまみ、第３分針及び第３時針、を組み合わせ、パネル５３上に第３地域又はそれ以上の時間を補充表示することができる。
【００３２】
カバー７は、留め具３４に結合し、例えば、両者の少なくとも２つの側壁が互いに接続可能なラッチ溝及びラッチ３４３を相対して設け、留め具３４上に固定設置した基板１１を密封する。そのうち、該カバー７上面が該第１、第２調整つまみ３５，３６の位置に対応して、第１、第２貫通孔７２，７３をそれぞれ開設し、該第１、第２調整つまみ３５，３６を露出させ、使用者に第１、第２地区時間を便利に調整させる。
【００３３】
図６に示すように、前記各部材を、タイムゾーン表示を具備するタイマームーブメントに構成する立体図であり、図１ｂ及び図５に示すように、該タイムゾーンベゼル５２の複数の接合部５２１は、２４のタイムゾーン代表都市名称を記載したタイムゾーン回転盤と接続するか、該タイムゾーンベゼル５２の複数の接合部５２１は、接続支持構造により２４のタイムゾーン及び代表都市名称を記載した地形地球儀に接続する。該タイムゾーン回転盤又は地球儀を回すことにより、タイムゾーンベゼル５２の回転を連動でき、周縁内壁に環設する定位孔５２３を順に留め具３４周縁に径方向に設置する弾性定位珠３８と接続及び定位し、その他のタイムゾーンの時間を即座に観察することができる。
【００３４】
本願を使用しようとする時、先ず、使用者がタイムゾーン回転盤又は地球儀の現地タイムゾーン、例えば、台北地域マークを所定点、例えば、１２時方向に合わせ、その後、第１調整つまみ３５を回転し、第１従動車３５１に中継者３７、第１分車組３２及び第１時車４３を連動させ、現地時間に合わせ、パネル５３上の昼夜歯車６１が連動する昼夜回転盤６２のマーク６２１により表示時間が昼か夜を判読し、例えば、正午１２時に調整する。その他のタイムゾーン、例えば、シカゴ（chicago）の時間を観たい場合、タイムゾーン回転盤又は地球儀を回し、タイムゾーンベゼル５２の環歯部５２２に遊星遊び歯車５４、遊星従動車、遊星基本歯車５１、第１時前車４１及び第１時車４３を連動させ、同期回転させ、シカゴの地域を１２時の方向に合わせ、この時、第１時針４３１は、１０時を指示し、昼夜回転盤６２は、夜を表すマーク６２１を表示し、これは、現在シカゴが夜間１０時であり、ビジネス電話連絡を行うことに適さないことを意味する。
【００３５】
現地が毎年３月〜１０月に日光節約時間を実施する場合、飾板５６の１１時３０分の位置に日光節約時間（D.S.T.）を表すマーク５６２を標示し、例えば、時間を日光節約時間に調整する場合、タイムゾーン回転盤又は地球儀を回転し、それにタイムゾーンベゼル５２の回転を同期連動させ、設定しようとする都市地域を飾板５６のマーク５６２の位置に直接合わせるだけでよく、第１時針４３１を余計に工程を踏んで調整する必要がない。
【００３６】
本願は、もう一項の利点は、前記ステップに基づき現地時間（第１地域時間）まで調整した後、使用者は、特殊なタイムゾーンに基づき、例えば、インドのニューデリー及び現地タイムゾーンの時差が２．５時間であり、現地時間が正午１２時であり、使用者は、第２調整つまみ３６を回転でき、その第２従動車３６１に第２時前車４２、第２分車組３３及び第２時車４４を連動させ、現地時間（第２地域時間）、例えば、午前９時３０分に合わせる。この時、使用者は、日本の東京の時間又はインドネシアのジャカルタの時間を更に分かる必要があれば、タイムゾーンベゼル５２を順回転又は逆回転するだけで、日本の東京の時間が午後１時であり、インドネシアのジャカルタの時間が午前１１時であることを容易に知ることができ、該第２時前車４２、第２分車組３３及び第２時車４４が独立回転であるので、タイムゾーンベゼル５２の正逆回転の影響を受けることなく、従って、前記インドのニューデリーの時間（第２地区時間）は、依然として午前９時３０分であることを表示する。但し、該第２地域時間は、完全に特殊なタイムゾーンに対して設計されているのではないが、事実上、使用者は、その他のタイムゾーンの都市時間、例えば、ロンドン等に調整することができる。
【００３７】
図７〜図９を参照し、それは、本願のタイマームーブメントの第２実施例の局部立体分解図、パネル上面の各部材の組み立て後の説明図及び本願のタイマームーブメントの第２実施例の組み立て後の立体図である。該タイマームーブメントの第２実施例は、動力源１、秒カウント装置２、分カウント装置３、時カウント装置４、タイムゾーン表示装置５、及び昼夜表示装置６から構成される。説明に便利である為、本実施例と前記実施例と同一部材は、何れも同一名称及び同一符号で表す。
【００３８】
図７及び図８に示すように、該動力源１、秒カウント装置２、分カウント装置３及び大部分の時カウント装置４は、何れもカバー７及び留め具３４の間に取り付けられている。本実施例及び前記実施例の差異は、以下にある。該留め具３４底面周縁に同心で且つ好ましくは等角方式で軸方向に複数の嵌装孔３４２を開設し、その後、少なくとも２つの弾性定位珠３８、例えば、３つの弾性定珠３８を等角で軸方向に所定の嵌装孔３４２内に嵌装し、珠体３８１を嵌装孔３４２外に露出させる。該タイムゾーンベゼル５２内に環歯部５２２を内設し、且つ底面周縁に２４個の定位孔５２３を等角に環設し、前記少なくとも２つの弾性定位珠３８の珠体３８１を掛合させることに用いる。
【００３９】
図９に示すように、本願のタイマーブームメントの第２実施例の組み立て後の立体図である。本実施例と、前記実施例の差異は、以下にある。該留め具３４底部の嵌装孔３４２内の弾性定位珠３８及びタイムゾーンベゼル５２の定位孔５２３は、径方向又は軸方向の掛合を採用するが、該タイムゾーンベゼル５２が具える双方向回転の機能に影響を及ぼさない。
【００４０】
従って、本願の実施例を経た増益効果は、以下のように、顕著である：
（１）世界タイムゾーンを双方向に調整でき、回転可能なタイムゾーンベゼル及び固定部材とする留め具は、従来技術が提示する単一方向の鋸歯状孔ではなく、定位孔及び弾性定位珠の掛合を採用し、該タイムゾーンベゼルに双方向回転及び定位の機能を持たせ、選択したいタイムゾーンの時間を即時表示し、操作上の利便性を有する。
（２）第２地区時間表示機能を有し、分前車により回転を同期連動される第２分車組、第２時前車、第２時車が独立回転することにより、タイムゾーンベゼルが順、逆回転する影響を受けないので、使用者が自身の要求に基づき、第２時間を第２地区時間に調整することができる。
（３）時間が容易に判読でき、１２時間ムーブメントを時間表示として採用しているが、閲読習慣を変更することなく、現地又はその他の地区の時間を容易に判読することができる。
（４）操作が簡便であり、計時が精確であり、その他のタイムゾーンの時間を調べたい時、タイムゾーンベゼルを回すだけで、タイマーを装着した第１時車を遊星基本歯車上で遊星運動させ、時カウント装置の第１時車を全点方式で移動させ、２つの地区時間又は時差を容易に判読でき、非常に便利である。特に、本願は、モータを動力の出力とし、時間の誤差を生じ難い。
（５）昼夜判読機能を有し、昼夜歯車が連動する昼夜回転盤上にマークの差異を呈することにより、調べたい某タイムゾーンの昼夜状況を容易に判読することができ、同類物品で前代未聞の良好な構造である。
【００４１】
上記の実施例は、本発明の実施形態を例示すること、及び本発明の技術特徴を理解することに用いるものであり、本発明の保護範疇を制限することに用いるのではない。
【符号の説明】
【００４２】
１  動力源
１１  基板
１２  回路板
１３  ステッパモータ
１３１  コイル
１３２  固定子
１３３  回転子
２  秒カウント装置
２１  秒前車
２２  秒車
２２１  秒針の軸
２２２  秒針/盤
３  分カウント装置
３１  分前車
３２  第１分車組
３２１  第１分車
３２２  第１分輪軸
３２３  第１分針の軸
３２４  第１分針
３３  第２分車組
３３１  第２分車
３３２  第２分車軸
３３３  第２分針の軸
３３４  第２分針
３４  留め具
３４１  電池室
３４２  嵌装孔
３４３  ラッチ
３５  第１調整つまみ
３５１  第１従動車
３６  第２調整つまみ
３６１  第２従動車
３７  中継車
３８  弾性定位珠
３８１  珠体
４  時カウント装置
４１  第１時前車
４２  第２時前車
４３  第１時車
４３１  第１時針
４４  第２時車
４４１  第２時針
５  タイムゾーン表示装置
５１  遊星基本歯車
５２  タイムゾーンベゼル
５２１  接合部
５２２  環歯部
５２３  定位孔
５３  パネル
５４  遊星遊び歯車
５４１  上歯盤
５４２  下歯盤
５５  遊星従動車
５５１  下従動車
５５２  上従動車
５６  飾板
５６１  ウィンドウ
５６２  マーク
６  昼夜表示装置
６１  昼夜歯車
７  カバー
７１  ラッチ溝
７２  第１貫通孔
７３  第２貫通孔
【図１ａ】
2013088428.tif 000003
【図１ｂ】
2013088428.tif 000004
【図２ａ】
2013088428.tif 000005
【図２ｂ】
2013088428.tif 000006
【図３】
2013088428.tif 000007
【図４】
2013088428.tif 000008
【図５】
2013088428.tif 000009
【図６】
2013088428.tif 000010
【図７】
2013088428.tif 000011
【図８】
2013088428.tif 000012
【図９】
2013088428.tif 000013